(57)【要約】【課題】  ＧＳＭ／ＷＣＤＭＡモードに従って動作可能な多重モード通信システムを提供する。【解決手段】  デルタ−シグマモジュレータはＧＳＭモードである時に、第１スイッチング部を通じて入力されるアナログ信号を１ビットデジタル信号にサンプリングし、アナログ−デジタル変換器はＷＣＤＭＡモードである時に、第１スイッチング部を通じて入力されるアナログ信号を８ビットデジタル信号にサンプリングする。シーケンシャルコンボルーション部はＧＳＭモードである時に、第２スイッチング部を通じて入力されるデルタ−シグマモジュレータ出力をフィルタ係数と掛け、ＷＣＤＭＡモードである時に、第２スイッチング部を通じて入力されるアナログ−デジタル変換器の出力を偽似雑音ＰＮコードと掛けた後に合してＷＣＤＭＡ出力波形を発生する。選択部はＧＳＭモードである時にシーケンシャルコンボルーション部の出力を一定の時間だけ遅延させてＧＳＭ波形を復元する。【選択図】    図１
2004215256.tif 000002
【特許請求の範囲】
【請求項１】
入力されるアナログ信号を受信する第１スイッチング部と、
第１モードである時に、前記第１スイッチング部を通じて入力される前記アナログ信号をサンプリングするデルタ−シグマモジュレータと、
第２モードである時に、前記第１スイッチング部を通じて入力される前記アナログ信号をサンプリングするアナログ−デジタル変換器と、
前記デルタ−シグマモジュレータ出力と前記アナログ−デジタル変換器出力とを選択的に受信する第２スイッチング部と、
第１モードである時に、前記第２スイッチング部を通じて入力される前記デルタ−シグマモジュレータ出力をフィルタ係数と掛け、第２モードである時に、前記第２スイッチング部を通じて入力される前記アナログ−デジタル変換器の出力を偽似雑音ＰＮコードと掛けた後に合して、前記第２モードの出力波形を発生する多数個のシーケンシャルコンボルーション部と、
前記第１モードである時の前記シーケンシャルコンボルーション部の出力を一定の時間遅延させて前記第１モードの出力波形に復元する選択部と、を具備することを特徴とする多重モード通信システム。
【請求項２】
前記シーケンシャルコンボルーション部各々は、
前記フィルタ係数を貯蔵するフィルタ係数貯蔵部と、
前記第１モードまたは前記第２モードに従って前記フィルタ係数貯蔵部の前記フィルタ係数と前記アナログ−デジタル変換器出力とを選択的に受信する前記第３スイッチング部と、
前記第２モードである時に、前記ＰＮコードを発生するＰＮコード発生部と、
前記第１モードまたは前記第２モードに従って前記デルタ−シグマモジュレータ出力と前記ＰＮコード発生部の前記ＰＮコードとを選択的に受信する第４スイッチング部と、
前記第１モードである時に、前記フィルタ係数貯蔵部の前記フィルタ係数と前記デルタ−シグマモジュレータ出力とを掛け、第２モードである時に、前記アナログ−デジタル変換器出力と前記ＰＮコードとを掛ける掛け算部と、
前記掛け算部の出力を合して出力波形を発生するアキュムレータと、を具備することを特徴とする請求項１に記載の多重モード通信システム。
【請求項３】
前記第１モードはＧＳＭモードであり、前記第２モードはＷＣＤＭＡモードであることを特徴とする請求項１及び２に記載の多重モード通信システム。
【請求項４】
前記フィルタ係数は、前記第１モードの低域通過フィルタの係数であることを特徴とする請求項１に記載の多重モード通信システム。
【請求項５】
前記フィルタ係数貯蔵部は、  ＲＯＭであることを特徴とする請求項２に記載の多重モード通信システム。
【請求項６】
前記デルタ−シグマモジュレータの出力は１ビット、前記ＰＮ発生器の出力は１ビット、前記アナログ−デジタル変換器の出力は８ビット、及び前記フィルタ係数は８ビットであることを特徴とする請求項３に記載の多重モード通信システム。
【請求項７】
第１モード及び第２モードで動作可能な多重モード通信装置において、
前記第１モードで入力されたアナログ信号をデルタ−シグマモジュレータにスイッチし、前記第２モードで前記入力されたアナログ信号をアナログ−デジタル変換器にスイッチする手段と、
前記第１モードで前記デルタ−シグマモジュレータの出力とフィルタ係数とを掛けて第１モード波形を発生し、前記第２モードで前記アナログ−デジタル変換器の出力と偽似雑音ＰＮコードとを掛けて第２モード波形を発生するコンボルーションモジュールと、
前記第１モードで所定の遅延時間の後に、前記第１モード波形を出力して第１モード出力波形を復元し、前記第２モードで前記所定の遅延時間のなしに、前記第２モード出力波形を出力する出力手段とを含むことを特徴とする多重モード通信装置。
【請求項８】
前記コンボルーションモジュール各々は、
前記フィルタ係数を貯蔵するメモリと、
前記第１モードまたは第２モードに従って、前記フィルタ係数、前記アナログ−デジタル変換器の出力が選択的に入力される第１スイッチと、
前記第２モードで偽似雑音コードを発生する偽似雑音コード発生器と、
前記第１モードまたは第２モードに従って、前記デルタ−シグマモジュレータの出力と前記偽似雑音コードとが選択的に入力される第２スイッチと、
前記第１モードで前記デルタ−シグマモジュレータの出力とフィルタ係数とを掛け、前記第２モードで前記アナログ−デジタル変換器の出力と偽似雑音コードとを掛ける掛け算器と、
前記掛け算器の出力を合して出力波形を発生するアキュムレータとを含むことを特徴とする請求項７に記載の多重モード通信装置。
【請求項９】
前記第１モードで入力された前記アナログ信号はＧＳＭ信号であり、前記第２モードで入力された前記アナログ信号はＷＣＤＭＡ信号であることを特徴とする請求項７に記載の多重モード通信装置。
【請求項１０】
前記フィルタ係数は第１モード低域通過フィルタの係数であることを特徴とする請求項７に記載の多重モード通信装置。
【請求項１１】
前記メモリはＲＯＭであることを特徴とする請求項８に記載の多重モード通信装置。
【請求項１２】
前記シグマ−デルタモジュレータの出力は１ビットであり、偽似雑音コード発生器の出力はｎビットであり、前記フィルタ係数はｎビットであり、ｎは２の倍数であることを特徴とする請求項７に記載の多重モード通信装置。
【請求項１３】
多重モード通信装置の動作方法において、
第１モードで動作する時に、シグマ−デルタモジュレータにアナログ信号をサンプリングする段階と、
第２モードで動作する時に、デジタル−アナログ変換器に前記アナログ信号をサンプリングする段階と、
前記第１モードで前記デルタ−シグマモジュレータの出力とフィルタ係数とを掛けて第１モード波形を発生し、前記第２モードで前記アナログ−デジタル変換器の出力と偽似雑音コードとを掛けて第２モード波形を発生する段階と、
所定の遅延時間の後に、前記第１モードでの倍を、そして前記所定の遅延時間なしに、前記第２モードでの倍を出力する段階とを含むことを特徴とする多重モード通信装置の動作方法。
【発明の詳細な説明】
【技術分野】
【０００１】
本発明は多重モード通信システムに関するものであり、特にＧＳＭ／ＷＣＤＭＡモードに従って動作可能な多重モード通信システムに関するものである。
【背景技術】
【０００２】
移動通信用グローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎ：以下“ＧＳＭ”という）ネットワークで、９．６ｋｂｉｔ／ｓのデータ伝送速度は現在の標準に比べて非常に遅く、絶えずに成長するマルチメディアの供給世界で、現在の移動ネットワークの伝送容量は不十分になっている。次世代移動電話のために、音声の単純な伝送は不十分であり、データ及びビデオ接続などを処理することができなければならない。
【０００３】
ユニバーサル移動遠隔通信システム（Ｕｎｉｖｅｒｓｉａｌ  Ｍｏｂｉｌｅ  Ｔｅｌｅｃｏｍｍｕｎｉｃａｔｉｏｎ  Ｓｙｓｔｅｍ：以下“ＵＭＴＳ”という）は非常に速いデータ伝送を有する無線通信を提供し、使用者に新しい種類のサービスの形態で、より融通性ある機能を提供するグローバル無線マルチメディアシステムである。ＵＭＴＳネットワークの基本的な要件は現在のシステムでより良い伝送速度、加入者接続数、さらに大きい容量だけではなく、現在の移動通信ネットワークでよりさらに良いサービス品質、さらに広いカバレッジ領域、多数の付加的なサービスを提供する能力などを含む。
【０００４】
ＵＭＴＳネットワークは、デジタルフォマットに伝送される音声、マルチメディアまたは他の情報を伝送するのに使用されることができる柔軟なデータ伝送チャンネルである。データ伝送チャンネルの一番単純な形態として、ＵＭＴＳはほとんど全世界にわたって動作し、インターネットネットワークに一定の高速接続を有する電話または携帯用コンピュータである。ＵＭＴＳは高速データ率を有するので、良品質のビデオイメージの伝送に適する。
【０００５】
ＵＭＴＳシステムの基本的なネットワークソリューションはＧＳＭシステムに基づく。ＵＭＴＳは約２ＧＨｚ、すなわち現在のＤＣＳ−１８００ネットワーク（１８００ＭＨｚのためのデジタルセルラシステム）よりさらに高い周波数で動作するであろう。ＵＭＴＳは良品質のビデオイメージの伝送に十分であり、グラフィック及びマルチメディアの伝送を可能にする。最高速度は、さらに広い帯域幅、効果的なデータ圧縮及び広帯域コード分割多重接続（Ｗｉｄｅｂａｎｄ  Ｃｏｄｅ  Ｄｉｖｉｓｉｏｎ  Ｍｕｌｔｉｐｌｅ  Ａｃｃｅｓｓ：以下“ＷＣＤＭＡ”という）無線技術により達成される。従来のコード分割多重接続（Ｃｏｄｅ  Ｄｉｖｉｓｉｏｎ  Ｍｕｌｔｉｐｌｅ  Ａｃｃｅｓｓ：以下“ＣＤＭＡ”という）と比較する時に、その差は、約２倍大きい周波数領域だけではなく、さらに大きい伝送容量、さらに良い品質、さらに小さい電力消費などである。ＷＣＤＭＡは、使用されるアプリケーションがさらに少ない容量を要求する場合に、さらに少ない容量が割り当てられ、残った容量は他のことに利用可能という長所を有する。
【０００６】
ＧＳＭはヨーロッパとアジアで使用されており、ＣＤＭＡは、米国、中国、インド、台湾で使用されている。音声及びデータ通信が向上し、世界市場に拡張しようとする市場雰囲気が続いている中に、多様な国家で作動する“汎世界的な電話”に対する関心が、国際業務のための旅行者に高くなっている。すべての標準下で作動する最適の構造と共有機能を有する多重モードセルラ電話は、消費者に幅広く電話を利用するようにし、製作者には共通設計による費用の節減を付与する。
【０００７】
したがって、ＧＳＭ／ＷＣＤＭＡモードを提供する多重モード通信システムが切実に要求される。
【発明の開示】
【発明が解決しようとする課題】
【０００８】
本発明の目的は、ＧＳＭモードとＷＣＤＭＡモードとを提供する多重モード通信システムを提供することにある。
【課題を解決するための手段】
【０００９】
上述の目的を達成するために、本発明の多重モード通信システムは、入力されるアナログ信号を受信する第１スイッチング部と、第１モードである時に、第１スイッチング部を通じて入力される前記アナログ信号を１ビットデジタル信号に出力するデルタ−シグマモジュレータと、第２モードである時に、第１スイッチング部を通じて入力される前記アナログ信号をサンプリングするアナログ−デジタル変換器と、デルタ−シグマモジュレータ出力とアナログ−デジタル変換器出力とを選択的に受信する第２スイッチング部と、第１モードである時に、第２スイッチング部を通じて入力されるデルタ−シグマモジュレータ出力をフィルタ係数と掛け、第２モードである時に、第２スイッチング部を通じて入力されるアナログ−デジタル変換器の出力を偽似雑音ＰＮコードと掛けた後に合して、第２モードの出力波形を発生する多数個のシーケンシャルコンボルーション部と、第１モードである時に、シーケンシャルコンボルーション部の出力をダウンサンプリングする時間だけ遅延させてデシメーションされた第１モードの出力波形に復元する選択部と、を含む。
【００１０】
望ましくは、シーケンシャルコンボルーション部各々は、フィルタ係数を貯蔵するフィルタ係数貯蔵部と、第１モードまたは第２モードに従ってフィルタ係数貯蔵部のフィルタ係数とアナログ−デジタル変換器出力とを選択的に受信する第３スイッチング部と、第２モードである時に、ＰＮコードを発生するＰＮコード発生部と、第１モードまたは第２モードに従ってデルタ−シグマモジュレータ出力とＰＮコード発生部のＰＮコードを選択的に受信する第４スイッチング部と、第１モードである時に、フィルタ係数貯蔵部のフィルタ係数とデルタ−シグマモジュレータ出力を掛け、第２モードである時に、アナログ−デジタル変換器出力とＰＮコードを掛ける掛け算部と、掛け算部の出力を合して出力波形を発生するアキュムレータと、を含む。
第１モードはＧＳＭモードであり、第２モードはＷＣＤＭＡモードであることが望ましい。
フィルタ係数は第１モードの低域通過フィルタの係数であり、フィルタ係数貯蔵部はＲＯＭである。
デルタ−シグマモジュレータの出力は１ビット、ＰＮ発生器の出力は１ビット、アナログ−デジタル変換器の出力は８ビット、及びフィルタ係数は８ビットであることがさらに望ましい。
【００１１】
したがって、本発明の多重モード通信システムによると、ＧＳＭモードまたはＷＣＤＭＡモードに従って使用可能であり、多数個のシーケンシャルコンボルーション部各々が、ＧＳＭモードとＷＣＤＭＡモードとに対して掛け算器を共有するので、ハードウェアの構成が単純になり、シーケンシャルコンボルーション部の駆動も単純になる。
【発明の効果】
【００１２】
本発明の多重モード通信システムは、ＧＳＭモードまたはＷＣＤＭＡモードに従って使用可能であるので、消費者には幅広い電話の利用を、製作者には共通設計による費用節減効果を付与する。
【発明を実施するための最良の形態】
【００１３】
以下、本明細書は、多重モード通信システムに関して、特にＧＳＭモードとＷＣＤＭＡモードを提供する多重モード通信システムに対して記述される。本明細書で、ＧＳＭモードは第１モード（Ｍｏｄｅ１）と、そしてＷＣＤＭＡモードは第２モード（Ｍｏｄｅ２）という。本発明の多重モード通信システムは図１及び図２を参照して具体的に説明される。
【００１４】
図１は本発明の一実施の形態による多重モード通信システムのブロックダイアグラムである。これを参照すると、多重モード通信システム１００は、デルタ−シグマモジュレータ１０２、８ビットアナログ−デジタル変換器１０４、シーケンシャルコンボルーション１０６、１０８、．．．１１０、モード選択部１１２、及び第１及び第２スイッチング部１２０、１３０を含む。デルタ−シグマモジュレータ１０２は、第１モードである時に入力されるアナログ信号を１ビットデジタル信号に出力させて、１区間ごとに１ビットのシンボルを発生する。８ビットアナログ−デジタル変換器１０４は、入力されるアナログ信号をサンプリングして８ビットのデジタル信号に変換させる。第１スイッチング部１２０は、入力されるアナログ信号をデルタ−シグマモジュレータ１０２または８ビットアナログ−デジタル変換器１０４に選択的に連結させる。第２スイッチング部１３０は、デルタ−シグマモジュレータ１０２出力または８ビットアナログ−デジタル変換器１０４出力を、選択的にシーケンシャルコンボルーション１０６、１０８、１１０に連結させる。
【００１５】
シーケンシャルコンボルーション部１０６、１０８、．．．１１０は、第２スイッチング部１３０を通じて連結されるデルタ−シグマモジュレータ１０２出力または８ビットアナログ−デジタル変換器１０４出力を、第１モードまたは第２モードに従って、フィルタ係数Ｃ１、Ｃ２、Ｃ３、．．．ＣｎまたはＰＮコードと掛ける（ｍｕｌｔｉｐｌｙ）。シーケンシャルコンボルーション部１０６、１０８、．．．１１０を代表して、第１シーケンシャルコンボルーション部１０６を具体的に図２に示している。図２を参照すると、第３及び第４スイッチング部２０１、２０３、フィルタ係数Ｃ１、Ｃ２、Ｃ３.．．、Ｃｎを貯蔵したＲＯＭ２０２、ＰＮコード発生器２０４、掛け算器２０６、及びアキュムレータ２０８を含む。第３スイッチング部２０１は、フィルタ係数Ｃ１、Ｃ２、Ｃ３、．．．Ｃｎと８ビットアナログ−デジタル変換器（１０４、図１）出力とを、第１モードまたは第２モードに従って、掛け算器２０６に選択的に伝達する。フィルタ係数Ｃ１、Ｃ２、Ｃ３、．．．Ｃｎは、ＧＳＭモードの低域通過フィルタ（Ｌｏｗ  Ｐａｓｓ  Ｆｉｌｔｅｒ、図示しない）のフィルタ係数を意味し、デルタ−シグマモジュレータ（１０２、図１）の１ビット出力と掛けられて、出力信号を再生（または復元）する。
【００１６】
一方、ＷＣＤＭＡ方式は、ＰＮコードという偽似雑音コードを使用して使用者を区分する方式で、各使用者の伝送信号が同一の周波数帯域を通じて伝送するようになる。４スイッチング部２０３は、デルタ−シグマモジュレータ（１０２、図１）の１ビット出力とＰＮコード発生器２０４の１ビット出力とを、第１モードまたは第２モードに従って、掛け算器２０６に選択的に伝達する。ＰＮコード発生器２０４の１ビット出力は、８ビットアナログ−デジタル変換器（１０４、図１）出力と掛けられて、出力波形を復元する。アキュムレータ２０８は、掛け算器２０６の演算結果を合して、最終的にＧＳＭモードまたはＷＣＤＭＡモードの出力波形を発生する。
【００１７】
再び、図１に戻って、多数個のシーケンシャルコンボルーション部１０６、１０８、．．．、１１０の出力は選択部１１２と連結される。選択部１１２は第２モード、すなわちＷＣＤＭＡモードである時に発生されるシーケンシャルコンボルーション部１０６からの出力は、ＰＮコード＃１チャンネルの出力である。シーケンシャルコンボルーション部１０８からの出力は、ＰＮコード＃２チャンネルの出力である。このようなチャンネルは、コード分割マルチプレクシングチャンネルである。
【００１８】
ＷＣＤＭＡの多経路電波の場合において、他の経路信号はＰＮコードの他のタイミングによって識別され、相違するシーケンシャルコンボルーション部１０６及び１０８によって個別的に復元される。シーケンシャルコンボルーション部１０６及び１０８の出力は、レーキレシーバ（Ｒａｋｅ  ｒｅｃｅｉｖｅｒ）を形成するように結合する。このような場合に、ＰＮコード＃１及び＃２は同一のコードシーケンスである一方、他のタイミングを有する。これに反して、第１モードである時は、選択部１１２を利用して、デシメーションする間隔だけの時間の間隔を置いて、コンボルーション結果値を出力して、ＧＳＭ出力波形に復元する。
【００１９】
したがって、本発明の多重通信システムによると、ＧＳＭモードまたはＷＣＤＭＡモードに従って使用可能である。これは個別的に通信システム（ＧＳＭモードまたはＷＣＤＭＡモード）に対する各々のハードウェーア構成を一つに構成するので、ハードウェーア構成が単純になる。すなわち、多数個のシーケンシャルコンボルーション部各々が、ＧＳＭモードとＷＣＤＭＡモードに対して掛け算器を共有するので、ハードウェーアの構成が単純になる。これによって、シーケンシャルコンボルーション部の駆動が単純になる。
【００２０】
以上、本発明は実施の形態をあげて記述したが、これは例示的なことに過ぎず、本発明の技術的思想及び範囲を制限、または限定することではない。本発明の多重モード通信システムは、ＧＳＭモードまたはＷＣＤＭＡモードを提供することに対して記述しているが、これは例示的なこととして、多様な通信モードを提供することができることはもちろんである。したがって、本発明の技術的思想及び範囲を逸脱しない限度内で多様な変化及び変更が可能であることはもちろんである。
【図面の簡単な説明】
【００２１】
【図１】本発明の一実施の形態による多重モード通信システムのブロックダイアグラムを示す図面である。
【図２】図１の多重モード通信システム内のシーケンシャルコンボルーション部を具体的に示す図面である。
【図１】
2004215256.tif 000003
【図２】
2004215256.tif 000004